(57)【要約】【課題】有料道路の料金所におけるＥＴＣ専用レーンにＥＴＣ非適合車が進入すると、遮断機が開かないため、追突や渋滞が起きてしまう。誤進入車を料金所から如何に早く退去させるかが有料道路事業者の緊急の課題である。【解決手段】本発明に係る料金所ＥＴＣ専用レーンの現金収受システムは、料金所装置(1)と監視所装置(2)を備える。該料金所装置(1)と該監視所装置(2)は通信回線(3)を介して導通している。該料金所装置(1)は通行券読取装置(11)、子インタフォン(12)及び現金収受機(13)を備える。該監視所装置(2)は制御用パソコン(21)と親インタフォン(22)を備える。該制御用パソコン(21)は該通行券読取装置(11)による読取の制御、該現金収受機(13)に対する通行料金設定表示及び投入金額表示のためのものである。該親インタフォン(22)は該子インタフォン(12)と通話可能となっている。【選択図】  図１
2011141589.tif 000002
【特許請求の範囲】
【請求項１】
料金所装置(1)と監視所装置(2)を備え、
該料金所装置(1)と該監視所装置(2)は通信回線(3)を介して導通しており、
該料金所装置(1)は通行券読取装置(11)、子インタフォン(12)及び現金収受機(13)を備え、
該監視所装置(2)は制御用パソコン(21)と親インタフォン(22)を備え、該制御用パソコン(21)は該通行券読取装置(11)による読取の制御、該現金収受機(13)のディスプレイ(13’)に対する通行料金設定表示及び投入金額表示のためのもので、該親インタフォン(22)は該子インタフォン(12)と通話可能となっている
ことを特徴とする料金所ＥＴＣ専用レーンの現金収受システム。
【請求項２】
該通信回線(3)には信号集約器(31)が介設されている請求項1に記載の料金所ＥＴＣ専用レーンの現金収受システム。
【請求項３】
該通行券読取装置(11)はカード読取部(14)と通行券回収部(15)を備えている請求項１又は２に記載の料金所ＥＴＣ専用レーンの現金収受システム。
【請求項４】
該料金所装置(1)は該現金収受機(13)の制御と該通行券読取装置(11)の制御用の汎用パソコン(16)を備えている請求項１、２又は３に記載の料金所ＥＴＣ専用レーンの現金収受システム。
【発明の詳細な説明】
【技術分野】
【０００１】
本発明は、車両走行に際し料金を徴収する有料道路の料金所ＥＴＣ専用レーンの現金収受システムに関する。
【背景技術】
【０００２】
ＥＴＣの普及により、料金所での渋滞が解消される傾向にある。しかしながら、料金所への進入路はＥＴＣ専用レーンとなっており、交通量の多い路線では車両が連続的に走行しているので、一旦このレーンに乗ってしまうと、このレーンからの脱出は不可能となる。ＥＴＣカードが車載器に正常に挿入されていない車両や、ＥＴＣ非適合車が、料金所に来てしまうと、レーンの遮断機が開かず、急停止による追突の危険や、車両排除に要する時間のための渋滞が発生してしまう。このような場合、運転者が料金所事務所に通報して送り込まれた収受員により、あるいは収受員が直接この状態を知りえた場合はこの収受員により、遮断機を開放してもらって走行車線外に一時的に駐車し、通行券を料金収受器に掛けて算定された通行料を運転者がこの収受員に支払うことによって、車両が解放される。収受員なしでこの問題を解決した先行技術を、本件出願人は知らない。
【発明の概要】
【発明が解決しようとする課題】
【０００３】
有料高速道路の料金の無料化が政策に上っているが、有料化の残る高速道路や一般有料道路では、維持管理費の軽減策としてＥＴＣ専用レーンの増設はこれからも増える傾向にあり、如何にして料金所における追突や渋滞をなくして安全な走行を確保するかは、有料道路事業者の緊急の課題である。本発明はこの課題を解決することを目的とする。
【課題を解決するための手段】
【０００４】
（請求項１）本発明に係る料金所ＥＴＣ専用レーンの現金収受システムは、料金所装置と監視所装置を備えている。該料金所装置と該監視所装置は通信回線を介して導通している。該料金所装置は通行券読取装置、子インタフォン及び現金収受機を備えている。該監視所装置は制御用パソコンと親インタフォンを備えている。該制御用パソコンは該通行券読取装置による読取の制御、該現金収受機のディスプレイに対する通行料金設定表示及び投入金額表示のためのものである。そして、該子インタフォンは該親インタフォンと相互に通話可能となっている。
【０００５】
該料金所装置は有料道路の料金所の内部又は外部の至近位置に設置される。一方、該監視所装置は料金所の内部、料金所の外部の至近位置、あるいは料金所と離れた管理事務所等、適当な場所に設置される。これらの料金所装置と監視所装置は通信回線を介して導通し、相互に情報のやり取りができるようになっている。
【０００６】
ＥＴＣ非適合車が専用レーンに進入して料金所に来ると、路側機からの信号に対し車載器からの反応がないので、遮断機は閉じたままとなり、車両は料金所の通過ができない。運転者は車両内から料金所装置の子インタフォンを操作して親インタフォンと通話し、管理者に状況の説明をする。管理者は運転者に機器操作の誘導をし、通行券を通行券読取装置に挿入し、あるいはかざすように指示する。通行券の情報は監視所装置のカメラモニタ部で確認し、その情報を基に料金を設定する。
【０００７】
料金設定が完了すると、制御用パソコンはその情報を料金所装置のディスプレイに表示し、運転者に現金による支払いを促す。運転者が料金を現金収受機に入れると、ディスプレイにその入金額が表示され、釣銭が必要な場合はそれを、受領書とともに運転者に受領させる。
【０００８】
支払いが完了したら、制御用パソコンは料金所装置のディスプレイに通行券を通行券回収部に入れるように表示し、又は親インタフォンから子インタフォンにその旨を伝達する。運転者が通行券を通行券回収部に挿入すると、遮断棒が開き、車両が通行できるようになる。これらの一連の作業は自動的になされ、人手による作業がなくなる。
【０００９】
（請求項２）該通信回線には信号集約器が介設されていてもよい。
こうすると、情報の伝達を速やかになすことができ、配線の複雑化を省ける。
【００１０】
（請求項３）該通行券読取装置はカード読取部と通行券回収部を備えていてもよい。
こうすると、カードはカード読取部で読み取られた後、通行券回収部で回収されるので、カードの抜き差しの手間が省ける。
【００１１】
（請求項４）該料金所装置は該現金収受機の制御と該通行券読取装置の制御用の汎用パソコンを備えていてもよい。
こうすると、該監視所装置が該料金所装置と離れている場合でも、該料金所装置側独自で該現金収受機の制御と該通行券読取装置の制御を行うことができ、都合がよい。
【発明の効果】
【００１２】
（請求項１）本発明にかかる料金所ＥＴＣ専用レーンの現金収受システムによれば、料金所装置と監視所装置を備え、該料金所装置と該監視所装置は通信回線を介して導通しており、該料金所装置は通行券読取装置、子インタフォン及び現金収受機を備え、該監視所装置は制御用パソコンと親インタフォンを備え、該制御用パソコンは該通行券読取装置による読取の制御、該現金収受機のディスプレイに対する通行料金設定表示及び投入金額表示のためのもので、該子インタフォンは該親インタフォンと相互に通話可能となっているので、ＥＴＣ非適合車が専用レーンに進入して料金所に来て遮断機が開かなかったとき、運転者は近くにある料金所装置の子インタフォンで管理者の親インタフォンから誘導を受け、通行券の情報を監視所装置で確認してもらって料金設定を待ち、料金所装置の現金収受機に料金を入れて通行券を回収部に入れれば遮断棒が開き、車両が通行できるようになる。しかも、これらの一連の作業は人手によることなく自動的になされ、省力化につながる。
【００１３】
請求項２によれば、該通信回線には信号集約器が介設されているので、情報の伝達を速やかになすことができ、配線の複雑化を省ける。
【００１４】
請求項３によれば、該通行券読取装置はカード読取部と通行券回収部を備えているので、カードはカード読取部で読み取られた後、通行券回収部で回収され、カードの抜き差しの手間が省ける。
【００１５】
請求項４によれば、該料金所装置は該現金収受機の制御と該通行券読取装置の制御用の汎用パソコンを備えているので、該監視所装置が該料金所装置と離れている場合でも、該料金所装置側独自で該現金収受機の制御と該通行券読取装置の制御を行うことができ、都合がよい。
【図面の簡単な説明】
【００１６】
【図１】本発明に係る料金所ＥＴＣ専用レーンの現金収受システムの具体例を示す概念図である。
【図２】本システムの運用の流れを示す図である。
【発明を実施するための形態】
【００１７】
（請求項１）図１及び図２で、この料金所ＥＴＣ専用レーンの現金収受システムは料金所装置１と監視所装置２を備えている。料金所装置１は有料道路の料金所の内部又は外部の至近位置に設置される。また、監視所装置２は料金所の内部、料金所の外部の至近位置、あるいは料金所と離れた管理事務所等、適当な場所に設置される。そして、料金所装置１と監視所装置２は通信回線３を介して導通しており、相互に情報のやり取りができるようになっている。
【００１８】
この料金所装置１は通行券読取装置１１、子インタフォン１２及び現金収受機１３を備えている。また、監視所装置２は制御用パソコン２１と親インタフォン２２を備えている。この制御用パソコン２１は、通行券読取装置１１による正確な読取を行えるように制御し、現金収受機１３のディスプレイ１３’に対して設定された通行料金の表示をすると共に投入された金額の表示をするためのものである。そして、通信回線３の介在により、親インタフォン２２は子インタフォン１２と相互に通話可能となっている。
【００１９】
図２はＥＴＣ非適合車が料金所に到達してから通り抜けるまでの過程を示す。ＥＴＣ非適合車が専用レーンに進入して料金所に来ると、遮断機は閉じたままなので、車両は料金所の通過ができない。運転者は料金所に到達した場合（ステップ１)、料金所装置１の子インタフォン１２で監視所装置２の管理者を呼び出す（ステップ２）。管理者側は親インタフォン２２で料金所装置１の機器操作を誘導する（ステップ３）。運転者はこの誘導に従って、通行券を通行券読取装置１１に挿入する（ステップ４）。
【００２０】
通行券読取装置１１によって写し取られた通行券の画像は監視所装置２側でカメラモニタにより撮像されて確認され（ステップ５）、その通行券情報を基に料金の設定をする（ステップ６）。料金設定が完了すると、制御用パソコン２１はその情報を料金所装置１のディスプレイ１３’に表示し（ステップ７）、監視所装置２が支払いの完了を確認すると（ステップ８）、料金所装置１のディスプレイ１３’に通行券を回収部に入れるよう指示し（ステップ９）、回収が終わると遮断機が開いて車両を解放する（ステップ１０）。
【００２１】
これらの一連の作業は親子インタフォン間のやり取りを除き、自動的になされ、人手による作業がなくなる。従って、ＥＴＣ専用レーンごとの料金所に人員を配置する必要はない。
【００２２】
（請求項２）通信回線３には信号集約器３１が介設されている。
この場合、情報の伝達を速やかになすことができ、配線の複雑化を省ける。
【００２３】
（請求項３）通行券読取装置１１はカード読取部１４と通行券回収部１５を備えている。
この場合、カードはカード読取部１４で読み取られた後、通行券回収部１５で回収されるので、カードの抜き差しの手間が省ける。
【００２４】
（請求項４）料金所装置１は現金収受機１３の制御と通行券読取装置１１の制御用の汎用パソコン１６を備えている。
この場合、監視所装置２が料金所装置１と離れている場合でも、料金所装置１側独自で現金収受機１３の制御と通行券読取装置１１の制御を行うことができ、都合がよい。
【符号の説明】
【００２５】
１      料金所装置
２      監視所装置
３      通信回線
１１    通行券読取装置
１２    子インタフォン
１３    現金収受機
１３’  ディスプレイ
１４    カード読取部
１５    通行券回収部
１６    汎用パソコン
２１    制御用パソコン
２２    親インタフォン
３１    信号集約器
【図１】
2011141589.tif 000003
【図２】
2011141589.tif 000004